(57)【特許請求の範囲】
【請求項１】
ティルティングタイプ椅子であって、
ユーザが着席するシート部と、
前記シート部に着席したユーザの背部分を支持するバックサポート部と、
前記バックサポート部に前記シート部の結合を媒介するとともに、前記ユーザが前記バックサポート部を後方に倒すように荷重を加えるとき、前記ユーザが加える荷重だけ前記シート部を上側に上昇させ、前記ユーザが前記バックサポート部に加えた荷重が除去されるとき、除去された荷重だけ前記シート部を下側に下降させるティルティング部と、
を含んでおり、
前記ティルティング部が、
前記バックサポート部と前記シート部との間に配置されるティルティング本体と、
前記ティルティング本体の後段部の一側及び他側と前記バックサポート部の下段部の一側及び他側との連結を媒介するとともに、前記シート部の中間下部の一側及び他側と前記バックサポート部の下段部の一側及び他側との連結を媒介する一対の第１連結ブロックであって、前記シート部の中間下部の一側及び他側に対して相対回転可能にヒンジ連結されるヒンジ連結端が上側に突出するように形成されており、さらに、前記ティルティング本体の内部に挿入される回転中心突起と、前記回転中心突起に形成されたトーションバー締結溝と、を各々備えている一対の第１連結ブロックと、
前記ティルティング本体の前段部の一側及び他側と前記シート部の前方下部の一側及び他側との連結を媒介する一対の第２連結ブロックと、
を含んでおり、
前記ティルティング本体は、前記一対の第１連結ブロックのトーションバー締結溝に一端部と他端部とを挿入することで前記一対の第１連結ブロックを連結するトーションバーを備えており、前記トーションバーが、前記バックサポート部から提供されるユーザの荷重を捩り力に転換して前記バックサポート部の下段部が前記ティルティング本体に対して相対回転するようにし、その際、前記ヒンジ連結端の上段部を後方に回転させて、前記シート部を上側に移動可能にする、
ティルティングタイプ椅子。
【請求項２】
前記ティルティング本体の内部には前記トーションバーが貫通する貫通口が形成された固定ブロックが固定配置され、
前記トーションバー締結溝と前記貫通口及び前記トーションバーは、正方形の断面を有するように形成されたことを特徴とする、請求項１に記載のティルティングタイプ椅子。
【請求項３】
前記シート部の一側に前後に回動可能に配置されたティルティング調節レバー部をさらに含み、
前記ティルティング本体は、
設置空間が形成されたボディー部と、
前記ボディー部の設置空間に配置されたティルティング制限ロッキング部と、を含み、
前記ティルティング制限ロッキング部は、
前記設置空間に固定され、前後方向に開口するように前後スライディングホール及び左右方向に開口するように左右スライディングホールが形成されたガイドブロックと、
前記前後スライディングホールに沿ってスライディング移動するロッキングスライディングブロックと、を含み、
前記ロッキングスライディングブロックの前段部はワイヤーにより前記ティルティング調節レバー部と連結され、前記ティルティング調節レバー部が前方に回動されれば、前記ロッキングスライディングブロックが前方にスライディングされることを特徴とする、請求項１に記載のティルティングタイプ椅子。
【請求項４】
前記ティルティング制限ロッキング部は、
前記左右スライディングホールに沿ってスライディング移動するティルティングロッキングブロックをさらに含み、
前記前後スライディングホール及び前記左右スライディングホールは一定部分が重なるように上下に備えられ、
前記ロッキングスライディングブロックには前記左右スライディングホールの内部に突出したガイドピンが形成され、前記ティルティングロッキングブロックには前記ガイドピンが挿入されるガイドスロットが形成され、
前記ロッキングスライディングブロックが前方にスライディングされれば、前記ガイドピンが前方に移動する動作により前記ティルティングロッキングブロックがスライディングされることを特徴とする、請求項３に記載のティルティングタイプ椅子。
【請求項５】
前記前後スライディングホールは前記左右スライディングホールより低い位置に備えられたことを特徴とする、請求項４に記載のティルティングタイプ椅子。
【請求項６】
前記ガイドスロットは、前記ティルティングロッキングブロックの先端部が前記ボディー部の外部に突出する位置にスライディングされるように傾斜して形成されたことを特徴とする、請求項４に記載のティルティングタイプ椅子。
【請求項７】
前記ティルティングロッキングブロックの先端部には、ロッキングノブが長手方向に突出するように形成されたことを特徴とする、請求項６に記載のティルティングタイプ椅子。
【請求項８】
前記第１連結ブロックには、前記ボディー部の外部に突出した前記ロッキングノブが挿入されるロッキング溝が形成されたことを特徴とする、請求項７に記載のティルティングタイプ椅子。
【請求項９】
前記ボディー部には、前記ロッキングノブが貫通して前記ボディー部の外部に露出するロッキングホールが形成されたことを特徴とする、請求項７に記載のティルティングタイプ椅子。
【請求項１０】
前記シート部には、前記ワイヤーの位置を変更させるワイヤー位置変更突起が形成されたことを特徴とする、請求項３に記載のティルティングタイプ椅子。
【発明の詳細な説明】
【技術分野】
【０００１】
本発明はティルティングタイプ椅子に関し、より詳しくは、ユーザが椅子のバックサポート部に加える荷重または運動方向によって椅子のシート部が上下に移動できるだけでなく、必要によってティルティングを制限することができるティルティングタイプ椅子に関する。
【背景技術】
【０００２】
一般に、椅子はユーザが長時間座っていなければならないため便宜性が最も重要視されるが、最近には頻繁な引越しなどにより業務場所を変更することによって、携帯性及び重量の軽いものを好むため簡易椅子が脚光を浴びている。しかしながら、簡易椅子の場合、携帯性及び軽量性に優れるものは別論にし、大型椅子に比べて便宜性が低下するという問題点があり、これに比べて、大型椅子の場合、ユーザの安楽性のためにふんわりしたクッションなどが安着部や背もたれ部及びひじかけ部などに備えられ、脚部は固定されたままに安着部及び背もたれ部が一体に回転できるように備えられることによって、便宜性が格段に向上した。
【０００３】
また、大型椅子の場合には、ユーザが腰を後ろに反らす動作をする場合、倒れないように重心を維持した状態で背もたれ部が後ろに曲がり、またユーザから外力が除去されれば元の位置に復元されるようにティルティング機能が装着されたものが多数である。
【０００４】
しかしながら、大型椅子で遂行されるティルティング機能を可能にするためには、ばねなどのように復元力を提供する手段が必須であり、その構成も非常に複雑であり、上手な組立者を除いては組立が容易でないという問題点があった。
【０００５】
このように、大型椅子に適用されたティルティング手段を簡易椅子に適用する場合には複雑な構成が簡易椅子に適用される結果、簡易椅子としての汎用性が低下し、重量が増加するため採択するところではなく、また、重量が増加しないようにティルティング手段を適用しようとするときには重心を容易に維持できずにティルティング機能を正しく遂行することができないために、椅子のティルティング時、シート部での着席感が低下して不便性を感じる問題点がある。
【０００６】
一方、特許文献１（２００３年０７月１０日公開）は簡易椅子に適用されたティルティングタイプ椅子に関するものであって、背もたれのティルティング時、背もたれとユーザの腰推部分との間に発生する空間によりユーザの上体を全体的に一定に支えられない問題点を解決するために案出されたものである。このために、特許文献１は、ユーザが背を後ろに反らして背板フレームをティルティングするときに背板フレームが変形されて腰推を十分に支持することができるように設計されたが、特許文献１の場合、背板フレームが変形されるように別途の複雑なリンク構造を備える問題点がある。
【先行技術文献】
【特許文献】
【０００７】
【特許文献１】韓国公開特許第２００３−００５９５８２号公報
【発明の概要】
【発明が解決しようとする課題】
【０００８】
本発明は上記の技術的課題を解決するために案出したものであって、ユーザが椅子のバックサポート部に加える荷重または運動方向によって椅子のシート部が上下に移動することにより、ユーザの便宜性を向上させることができるティルティングタイプ椅子を提供することをその目的とする。
【課題を解決するための手段】
【０００９】
本発明に係るティルティングタイプ椅子の好ましい一実施形態は、ユーザが着席するシート部と、前記シート部に着席したユーザの背部分を支持するバックサポート部と、前記バックサポート部に前記シート部の結合を媒介するとともに、前記ユーザが前記バックサポート部を後方に倒すように荷重を加えるとき、前記ユーザが加える荷重だけ前記シート部を上側に上昇させ、前記ユーザが前記バックサポート部に加えた荷重が除去されるとき、除去された荷重だけ前記シート部を下側に下降させるティルティング部と、を含む。
【００１０】
また、前記ティルティング部は、前記バックサポート部と前記シート部との間に配置されるティルティング本体と、前記ティルティング本体の後段部の一側及び他側と前記バックサポート部の下段部の一側及び他側との連結を媒介するとともに、前記シート部の中間下部の一側及び他側と前記バックサポート部の下段部の一側及び他側の連結を媒介する一対の第１連結ブロックと、前記ティルティング本体の前段部の一側及び他側と前記シート部の前方下部の一側及び他側との連結を媒介する一対の第２連結ブロックを含むことができる。
【００１１】
また、前記一対の第１連結ブロックは、前記シート部の中間下部の一側及び他側と相対回転可能にヒンジ連結されるヒンジ連結端が上側に突出するように形成できる。
また、前記一対の第１連結ブロックは、前記ティルティング本体の内部に挿入される回転中心突起が各々備えられ、前記ティルティング本体の内部には前記一対の第１連結ブロックの回転中心突起に形成されたトーションバー締結溝に一端部と他端部が挿入されて、前記一対の第１連結ブロックを連結させるトーションバーを具備できる。
【００１２】
また、前記ティルティング本体の内部には前記トーションバーが貫通する貫通口が形成された固定ブロックが固定配置され、前記トーションバー締結溝と前記貫通口及び前記トーションバーは、正方形の断面を有するように形成できる。
【００１３】
また、前記トーションバーは、前記一対の第１連結ブロックが前記バックサポート部と連動して前記ティルティング本体に対して相対回転するとき、前記バックサポート部の荷重を捩り力に転換させることができる。
【００１４】
また、前記シート部の一側に前後に回動可能に配置されたティルティング調節レバー部をさらに含み、前記ティルティング本体は、設置空間が形成されたボディー部と、前記ボディー部の設置空間に配置されたティルティング制限ロッキング部と、を含み、前記ティルティング調節レバー部と前記ティルティング制限ロッキング部とはワイヤーにより連結されて、前記ティルティング調節レバー部の回動時、前記ティルティング制限ロッキング部によりティルティングが調節できる。
【００１５】
また、前記ティルティング制限ロッキング部は、前記設置空間に固定され、前後方向に開口するように前後スライディングホール及び左右方向に開口するように左右スライディングホールが形成されたガイドブロックと、前記前後スライディングホールに沿ってスライディング移動するロッキングスライディングブロックと、前記左右スライディングホールに沿ってスライディング移動するティルティングロッキングブロックを含み、前記ティルティングロッキングブロックは、前記ロッキングスライディングブロックに連動してスライディングできる。
【００１６】
また、前記前後スライディングホール及び前記左右スライディングホールは一定部分が重なるように上下に備えられ、前記ロッキングスライディングブロックには前記左右スライディングホールの内部に突出したガイドピンが形成され、前記ティルティングロッキングブロックには前記ガイドピンが挿入されるガイドスロットが形成できる。
【００１７】
また、前記前後スライディングホールは前記左右スライディングホールより低い位置に具備できる。
また、前記ガイドスロットは、前記ティルティングロッキングブロックの先端部が前記ボディー部の外部に突出する位置にスライディングされるように傾斜して形成できる。
【００１８】
また、前記ティルティングロッキングブロックの先端部にはロッキングノブが長手方向に突出するように形成できる。ここで、前記第１連結ブロックには前記ボディー部の外部に突出した前記ロッキングノブが挿入されるロッキング溝が形成できる。
【００１９】
また、前記ボディー部には前記ロッキングノブが貫通されて前記ボディー部の外部に露出するロッキングホールが形成できる。
また、前記シート部には前記ワイヤーの位置を変更させるワイヤー位置変更突起が形成できる。
【発明の効果】
【００２０】
本発明のティルティングタイプ椅子の好ましい一実施形態によれば、バックサポート部のティルティング動作に連動してシート部の上昇及び下降がなされるように構成されることによって、シート部に着席したユーザに一層楽な着席感が提供できる利点がある。
【００２１】
また、本発明のティルティングタイプ椅子によれば、ユーザの必要によってティルティングが制限されるように設定できるため、ユーザの便宜性をより向上させることが可能な効果を有する。
【図面の簡単な説明】
【００２２】
【図１】本発明に係るティルティングタイプ椅子の好ましい一実施形態を示す斜視図である。
【図２】図１の分解斜視図である。
【図３】図１のＡ−Ａ線に沿って取った断面図である。
【図４】本発明に係るティルティングタイプ椅子のティルティング形態を示す側面図である。
【図５】図１の構成のうちのティルティング部がバックサポート部に設置された形態を示す分解斜視図である。
【図６】ティルティング部の構成のうちの一対の第１連結ブロックを示す斜視図である。
【図７】図５の“Ｂ”部分を拡大した拡大図である。
【図８】図７のＣ−Ｃ線に沿って取った断面図である。
【図９】ティルティング調節レバー部によるティルティング制限ロッキング部の作動度を示す平面図である。
【図１０】図９のティルティング制限ロッキング部の作動度を示す部分切欠平面図である。
【図１１】図９及び図１０に示したティルティング制限ロッキング部の構成を示す斜視図である。
【発明を実施するための形態】
【００２３】
以下、本発明に係るティルティングタイプ椅子の好ましい一実施形態を添付の図面を参照して詳細に説明する。
図１は本発明に係るティルティングタイプ椅子の好ましい一実施形態を示す斜視図であり、図２は図１の分解斜視図であり、図３は図１のＡ−Ａ線に沿って取った断面図であり、図４は本発明に係るティルティングタイプ椅子のティルティング形態を示す側面図である。
【００２４】
本発明に係るティルティングタイプ椅子１の好ましい一実施形態は、図１から図４を参照すると、ユーザが着席するシート部３０、シート部３０に着席したユーザの背部分を支持するバックサポート部１０、及びバックサポート部１０にシート部３０の結合を媒介するティルティング部１００を含む。
【００２５】
ここで、ティルティング部１００は、ユーザがバックサポート部１０を後方に倒すように荷重を加えるとき、ユーザが加える荷重だけシート部３０を上側に上昇させ、ユーザがバックサポート部１０に加えた荷重が除去されるとき、除去された荷重だけシート部３０を下側に下降させる役割をする。より具体的なシート部３０のティルティング形態は後で詳細に説明する。
【００２６】
ユーザの背部分を支持するバックサポート部１０は、ほぼ上下に長く配置され、前後方向に開口した開口部１１が形成され、中間部分にアームサポート部が設置される。前後方向に開口した開口部１１にはフォームまたはメッシュ材質のクッションまたは非クッション材質が設置されて、ユーザの背を安楽に支持する役割をする。バックサポート部１０の下段部はほぼ前方に折り曲げられるように形成される。
【００２７】
シート部３０は、図３を参照すると、下部骨格部３１、及び下部骨格部３１の上側に結合されたクッション部３３を含む。下部骨格部３１とクッション部３３とは締結部材３５により締結できる。
【００２８】
シート部３０は、図１及び図２を参照すると、ティルティング部１００によるティルティングを制限するティルティング調節レバー部５０５をさらに含むことができる。ティルティング調節レバー部５０５は下部骨格部３１の側部から外側に突出し、内部のヒンジ連結点（図面符号未表示、図１１参照）を中心に外側に突出した一端部が前後に所定角度回転可能に回動されるように構成できる。ティルティング調節レバー部５０５は、後述するティルティング部１００の構成のうち、ティルティング制限ロッキング部５００の一構成であるロッキングスライディングブロック５３０とワイヤー８００を媒介して連結されることによって、ティルティング調節レバー部５０５の外側に突出した一端部を前方に回転させれば、ティルティング部１００によるシート部３０のティルティングが制限され、ティルティング調節レバー部５０５の外側に突出した一端部を後方に回転させれば、ティルティング部１００によるシート部３０のティルティングが可能であるように構成できる。これに対する詳細な説明は後述する。
【００２９】
ティルティング部１００は、図２及び図３を参照すると、バックサポート部１０とシート部３０との間に配置されるティルティング本体２００、ティルティング本体２００の後段部の一側及び他側とバックサポート部１０の下段部の一側及び他側との連結を媒介するとともに、シート部３０の中間下部の一側及び他側とバックサポート部１０の下段部の一側及び他側の連結を媒介し、バックサポート部１０から提供されるユーザによる後方への荷重（反らし力）を提供する一対の第１連結ブロック３００、及びティルティング本体２００の前段部の一側及び他側とシート部３０の前方下部の一側及び他側との連結を媒介する一対の第２連結ブロック４００を含むことができる。
【００３０】
バックサポート部１０の下段部の一側及び他側には、一対の第１連結ブロック３００が形状マッチングされて結合される結合溝１３が各々形成され、結合溝１３に各々一対の第１連結ブロック３００が形状マッチングされるように未図示の締結部材により締結できる。
【００３１】
一対の第１連結ブロック３００はバックサポート部１０の下段部の一側及び他側に堅く固定されて、ユーザがバックサポート部１０を通じて提供する後方への荷重がティルティング部１００及び連結されたシート部３０に効率的に提供できる。
【００３２】
図５は図１の構成のうちのティルティング部がバックサポート部に設置された形態を示す分解斜視図であり、図６はティルティング部の構成のうちの一対の第１連結ブロックを示す斜視図である。
【００３３】
一対の第１連結ブロック３００は、図５及び図６を参照すると、シート部３０の中間下部の一側及び他側と相対回転可能にヒンジ連結されるヒンジ連結端３２０が上側に突出するように形成できる。ヒンジ連結端３２０には、ヒンジ締結具３２１を形成できる。
【００３４】
また、一対の第１連結ブロック３００は、ティルティング本体２００の側面部分を貫通してティルティング本体２００の内部に先端部が露出する回転中心突起３１０が形成され、回転中心突起３１０の先端部には四角形の溝形状に形成されたトーションバー締結溝３１１が形成できる。トーションバー締結溝３１１には後述するトーションバー１１０（Ｔｏｒｓｉｏｎ  ｂａｒ）の両端のうちの一端が挿入締結される。
【００３５】
併せて、一対の第１連結ブロック３００は、ティルティング本体２００の側面部分に面着される部分にロッキング溝３３０を形成できる。ロッキング溝３３０は後述するロッキングノブ５４０が挿入される部分である。
【００３６】
一対の第１連結ブロック３００は、ヒンジ連結端３２０に備えられたヒンジ締結具３２１を通じてシート部３０の中間下側と相対回転可能な連結を媒介するとともに、回転中心突起３１０に形成されたトーションバー締結溝３１１にトーションバー１１０が締結される動作によりティルティング本体２００との連結を媒介する役割をする。
【００３７】
一方、一対の第２連結ブロック４００は、図２及び図３を参照すると、後段部はティルティング本体２００の前段部に相対回転可能にヒンジ連結され、前段部はシート部３０の前方下部に相対回転可能にヒンジ連結される。一対の第２連結ブロック４００は、各々ヒンジ連結されるように、ヒンジ（図示せず）が挿入締結されるヒンジ挿入口４１０、４２０を形成できる。そして、ティルティング本体２００の前段部には、一対の第２連結ブロック４００が形状マッチングされ結合されるように、“¬”形状の断面を有するように切欠された連結溝部２１０を形成できる。
【００３８】
このように構成されたティルティング部１００は、図４を参照すると、ユーザが背を後方に反らせば（（ア））、バックサポート部１０の下段部に連結された一対の第１連結ブロック３００に荷重が提供され、一対の第１連結ブロック３００はティルティング本体２００の内部に貫通された回転中心突起３１０を中心にヒンジ連結端３２０の上段部が後方への回転力を有するようになり（（イ））、この回転力がシート部３０の後段部を後方に移動させる移動力に変更され（（ウ））、シート部３０の後方移動力によりシート部３０の前段部が後方に移動されながら（（エ））シート部３０の全体が上昇するように作動させる。
【００３９】
従来技術に係るティルティングタイプ椅子の場合、椅子のティルティング時、シート部での着席感が低下して不便性を感じるようになるが、本発明の一実施形態に係るティルティングタイプ椅子によれば、シート部３０に着席したユーザはバックサポート部１０のティルティングによって背部分が楽になるとともに、シート部３０での着席感も同時に向上する。
【００４０】
反対に、ティルティング部１００は、ユーザが背を前方に下げると、バックサポート部１０に提供された荷重が除去されながらバックサポート部１０の下段部に連結された一対の第１連結ブロック３００のヒンジ連結端３２０の上段部が回転中心突起３１０を中心に元の位置に回転して復元され、この際、シート部３０の後段部が前方に移動しながら、シート部３０の全体が元の位置に下降するように作動させる。
【００４１】
このように、バックサポート部１０に荷重が加えられたり除去されたりすることによってバックサポート部１０のティルティング動作が発生し、バックサポート部１０のティルティング動作に連動してシート部３０の上昇及び下降がなされるように構成されることによって、シート部３０に着席したユーザに一層楽な着席感を提供できる。
【００４２】
図７は図５の“Ｂ”部分を拡大した図であり、図８は図７のＣ−Ｃ線に沿って取った断面図であり、図９はティルティング調節レバー部によるティルティング制限ロッキング部の作動度を示す平面図であり、図１０は図９のティルティング制限ロッキング部の作動度を示す部分切欠平面図であり、図１１は、図９及び図１０に図示したティルティング制限ロッキング部の構成を示す斜視図である。
【００４３】
ティルティング本体２００は、図７から図１１を参照すると、内部に設置空間が形成されたボディー部２００Ａ、及びボディー部２００Ａの上側を覆うように結合されたボディーカバー２００Ｂを含むことができる。
【００４４】
ボディー部２００Ａの設置空間には、前述した一対の第１連結ブロック３００の回転中心突起３１０に形成されたトーションバー締結溝３１１を各々連結するトーションバー１１０が左右方向に長く配置され、前述したティルティング制限ロッキング部５００及び未図示の高さ調節レバーにより作動される高低調節部６００を配置できる。
【００４５】
トーションバー１１０は、図６を参照すると、一対の第１連結ブロック３００のうち、一側の回転中心突起３１０に形成されたトーションバー締結溝３１１に一端が挿入固定され、他側の回転中心突起３１０に形成されたトーションバー締結溝３１１に他端が挿入固定される。トーションバー締結溝３１１は、トーションバー１１０が相対回転しないように正方形形状に形成され、トーションバー１１０も正方形の断面を有するように形成できるが、トーションバー１１０とトーションバー締結溝３１１が正方形以外の他の断面を同一な断面として有しても関係ない。
【００４６】
一方、ボディー部２００Ａの設置空間のうち、トーションバー１１０が左右方向に長く配置された中部分には、トーションバー１１０に対してボディー部２００Ａが相対回転しないように固定させる固定ブロック１２０がボディー部２００Ａに固定される。固定ブロック１２０は、ボディー部２００Ａに締結部材（図面符号未表示）により堅く固定され、固定ブロック１２０にはトーションバー１１０が貫通する貫通口１２１が形成される。貫通口１２１はトーションバー締結溝３１１と同様に、トーションバー１１０の断面形状である正方形形状のホールで形成できる。
【００４７】
トーションバー１１０は、一対の第１連結ブロック３００を相互連結させる役割とともに、バックサポート部１０から提供されるユーザの荷重をシート部３０に伝達する役割をする。即ち、トーションバー１１０は、中部分がボディー部２００Ａの設置空間に固定された固定ブロック１２０の貫通口１２１を貫通することによって、バックサポート部１０から提供されるユーザの荷重（反らし力）を捩り力に変更させてバックサポート部１０の下段部がティルティング本体２００に対して相対回転するようにし、この際、ヒンジ連結端３２０の上段部が後方に回転するようにして、シート部３０を上側に移動可能にするものである。
【００４８】
前述したように、トーションバー１１０による捩り力は、ティルティング本体２００に対するバックサポート部１０の下段部の相対回転が可能であるため、シート部３０のティルティングが可能になり、本発明に係るティルティングタイプ椅子１の好ましい一実施形態によれば、ユーザの必要によってティルティングされないようにボディー部２００Ａの設置空間にティルティング制限ロッキング部５００を具備できる。
【００４９】
ティルティング制限ロッキング部５００は、図７から図９を参照すると、ボディー部２００Ａの設置空間に固定され、前後方向に開口するように形成された前後スライディングホール５１２と左右方向に開口するように形成された左右スライディングホール５１１が備えられたガイドブロック５１０、前後スライディングホール５１２の内部で外力によって前後にスライディング可能に配置されたロッキングスライディングブロック５３０、及び左右スライディングホール５１１の内部でスライディング可能に配置され、かつ、ロッキングスライディングブロック５３０のスライディング移動と連動して左右方向にスライディング移動するティルティングロッキングブロック５２０を含むことができる。
【００５０】
ロッキングスライディングブロック５３０の前段部は、図１０を参照すると、ワイヤー８００によりティルティング調節レバー部５０５と連結され、ティルティング調節レバー部５０５を前方に回動させる動作によりロッキングスライディングブロック５３０が前方にスライディングされる。ロッキングスライディングブロック５３０には弾性部材設置溝（図面符号未表示）が形成され、弾性部材設置溝に弾性部材５５０の一端はガイドブロック５１０に固定され、弾性部材５５０の他端はスライディングされるロッキングスライディングブロック５３０に支持されるように設置される。ここで、弾性部材５５０はばねでありうる。
【００５１】
ロッキングスライディングブロック５３０が前方にスライディングされれば、弾性部材５５０は圧縮されてからティルティング調節レバー部５０５のワイヤー８００の引張力が解除され、元の位置に復元されながらロッキングスライディングブロック５３０が後方にスライディングされるようにする役割をする。
【００５２】
ティルティング調節レバー部５０５は、位置上、ティルティング制限ロッキング部５００の前方上側に位置されるが、ティルティング調節レバー部５０５とティルティング制限ロッキング部５００が急激な傾斜を有するように配置される場合、ティルティング調節レバー部５０５の回動動作によるティルティング制限ロッキング部５００の作動が円滑でないことがある。本発明に係るティルティングタイプ椅子１の好ましい一実施形態では、ティルティング調節レバー部５０５とティルティング制限ロッキング部５００との間を連結するワイヤー８００のテンションを持続的に維持するとともに、作動が円滑でないという問題点を解決するために、図１０に参照されたように、ティルティング調節レバー部５０５の一側に該当するシート部３０にワイヤー位置変更突起９００が備えられ、ワイヤー８００がワイヤー位置変更突起９００を覆いかぶせるように配置できる。
【００５３】
一方、ロッキングスライディングブロック５３０が挿入される前後スライディングホール５１２の後方部は、ティルティングロッキングブロック５２０が挿入される左右スライディングホール５１１と一定部分重なるように形成され、かつ、前後スライディングホール５１２が左右スライディングホール５１１より低い位置に備えられるように形成できる。ここで、ロッキングスライディングブロック５３０の後段部の上側には左右スライディングホール５１１の内部に突出したガイドピン５３１が一体に形成され、ティルティングロッキングブロック５２０にはガイドピン５３１が下部から上側に挿入されるガイドスロット５２１を形成できる。
【００５４】
ガイドスロット５２１は、図１０に参照されたように、ティルティング制限ロッキング部５００がボディー部２００Ａの設置空間のうち、後方左側に備えられると仮定するとき、後方に行くほど左側に傾斜するように形成できる。このように、ガイドスロット５２１が後方に行くほど左側に傾斜するように形成される場合、ロッキングスライディングブロック５３０が前方にスライディングされれば、ガイドピン５３１が前方に移動する動作によりティルティングロッキングブロック５２０を左側にスライディング移動させるようになる。
【００５５】
一方、ティルティングロッキングブロック５２０の左側先端部には、ロッキングノブ５４０が長手方向に突出するように形成され、ロッキングノブ５４０に隣接するボディー部２００Ａには外部と連通するロッキングホール２１０が形成できる。ロッキングノブ５４０は、ティルティングロッキングブロック５２０の左側方向スライディング移動時、ロッキングホール２１０を貫通して一対の第１連結ブロック３００のうち、ロッキングノブ５４０に隣接するように配置された第１連結ブロック３００に形成されたロッキング溝３３０に挿入されることによって、これ以上ティルティングがなされないようにするロッキング機能を遂行する。即ち、ロッキング溝３３０にロッキングノブ５４０の先端部が挿入されれば、ティルティング本体２００と一対の第１連結ブロック３００の相対回転が制限されるため、これ以上のティルティングがなされない。
【００５６】
ボディー部２００Ａの設置空間のうち、後方部の中部分には、本発明の好ましい一実施形態に係るティルティングタイプ椅子１の高低を調節することができる高低調節部６００が配置できる。高低調節部６００の具体的な構成は既に公知された高低調節部６００の具体的な構成をそのまま借用することも可能であるが、構成部品の集約的な設置のためにティルティング本体２００に設置されることを主要特徴としている。高低調節部６００の具体的な作動関係は、本発明に係るティルティングタイプ椅子１の内容とは大きい関連性を有しないため、説明を省略する。
【００５７】
一方、ボディー部２００Ａの後方下側には、ボディー部２００Ａに対して相対回転可能に備えられた未図示の脚部の回転軸が挿入される回転チューブ７００が具備できる（図３参照）。
【００５８】
上記のように構成される本発明に係るティルティングタイプ椅子１の好ましい一実施形態の作動形態を添付の図面（特に、図４参照）を参照して簡略に説明すれば、次の通りである。
【００５９】
まず、ユーザがシート部３０に着席した後、後方のバックサポート部１０に背をもたせかけて後方に反らすと、回転中心突起３１０を回転中心にしてバックサポート部１０の下段部は下方に所定角度回転し（（ア））、一対の第１連結ブロック３００のヒンジ連結端３２０は回転中心突起３１０を回転中心にして上方に所定角度回転される（（イ））。
【００６０】
一対の第１連結ブロック３００のヒンジ連結端３２０が回転されれば、シート部３０は後方に移動し（（ウ））、この際、一対の第２連結ブロック４００が回転されることによって、シート部３０が所定高さ上昇するようになる（（エ））。
【００６１】
特に、バックサポート部１０の下段部が下方に所定角度回転すること（（ア））と、一対の第１連結ブロック３００のヒンジ連結端３２０が上方に所定角度回転すること（（イ））は、ボディー部２００Ａの設置空間に堅く固定された固定ブロック１２０の貫通口１２１を貫通するように備えられたトーションバー１１０によりバックサポート部１０の荷重が捩り力に転換されながらなされるようになる。
【００６２】
併せて、ユーザは必要によってティルティングを制限しようとする場合、ティルティングがなされていない状態でシート部３０の一側に突出したティルティング調節レバー部５０５を前方に回動させれば、ティルティング本体２００の内部に備えられたティルティング制限ロッキング部５００のロッキングノブ５４０が第１連結ブロック３００のロッキング溝３３０に挿入されることによってティルティングを制限することができる。
【００６３】
次に、ユーザがバックサポート部１０から前方に背を離隔させれば、ユーザがバックサポート部１０に提供した荷重の減少程度によってバックサポート部１０が前方に復元される。これは、トーションバー１１０により発生した捩り力がバックサポート部１０の復原力として作用するためである。
【００６４】
上記のように構成される本発明によれば、ユーザが椅子のバックサポート部１０に加える荷重または運動方向によってティルティングがなされて、このようなティルティングに連動してシート部３０の上下高さが調節されるため、ユーザの便宜性を増大する利点を有する。
【００６５】
以上、本発明に係るティルティングタイプ椅子の好ましい一実施形態を添付の図面を参照して詳細に説明した。しかしながら、本発明の実施形態が必ずしも前述した好ましい一実施形態によって限定されるものではなく、本発明が属する技術分野で通常の知識を有する者による多様な変形及び均等な範囲での実施が可能であることは当然である。したがって、本発明の真の権利範囲は後述する特許請求範囲により定められるべきである。
【符号の説明】
【００６６】
１…椅子、１０…バックサポート部、１１…開口部、２０…アームサポート部、３０…シート部、３１…下部骨格部、３３…クッション部、１００…ティルティング部、１１０…トーションバー、１２０…固定ブロック、１２１…貫通口、２００…ティルティング本体、２００Ａ…ボディー部、２００Ｂ…ボディーカバー、２１０…ロッキングホール、３００…第１連結ブロック、３１０…回転中心突起、３１１…トーションバー締結溝、３２０…ヒンジ連結端、３２１…ヒンジ締結具、３３０…ロッキング溝、４００…第２連結ブロック、５００…ティルティング制限ロッキング部、５０５…ティルティング調節レバー部、５１０…ガイドブロック、５１１…左右スライディングホール、５１２…前後スライディングホール、５２０…ティルティングロッキングブロック、５２１…ガイドスロット、５３０…ロッキングスライディングブロック、５３１…ガイドピン、５４０…ロッキングノブ、５５０…弾性部材、６００…高低調節部、７００…回転チューブ、８００…ワイヤー、９００…ワイヤー位置変更突起。
【図１】
0005976747.tif 000002
【図２】
0005976747.tif 000003
【図３】
0005976747.tif 000004
【図４】
0005976747.tif 000005
【図５】
0005976747.tif 000006
【図６】
0005976747.tif 000007
【図７】
0005976747.tif 000008
【図８】
0005976747.tif 000009
【図９】
0005976747.tif 000010
【図１０】
0005976747.tif 000011
【図１１】
0005976747.tif 000012